(57)【特許請求の範囲】
【請求項１】
装置本体に対して開閉可能な原稿押圧部材と、該原稿押圧部材が押圧した原稿の画像を読み取る画像読取手段と、を備えた画像読取装置において、
一端が前記装置本体と回動可能に軸支されると共に他端が前記原稿押圧部材と回動可能に軸支され、装置本体と前記原稿押圧部材とを２つの回動支点で回動可能に連結するヒンジ部材と、
前記ヒンジ部材と前記原稿押圧部材とを軸支した軸方向に圧接して前記ヒンジ部材と前記原稿押圧部材間の前記軸方向の位置関係を一定にするとともに前記軸回りの回動を防止可能な圧接手段と、を備え、
前記圧接手段は、前記ヒンジ部材と前記原稿押圧部材のうち一方に設けられて圧接した他方を軸支した軸方向に付勢する付勢部と、他方に設けられて前記付勢部が突き当てられる突き当て部と、を備えた構成であることを特徴とする画像読取装置。
【請求項２】
前記付勢部は、前記ヒンジ部材に一体的に設けられると共に、前記突き当て部は、前記原稿押圧部材に設けられたことを特徴とする請求項１に記載の画像読取装置。
【請求項３】
前記付勢部は、前記原稿押圧部材に一体的に設けられると共に、前記突き当て部は、前記ヒンジ部材に設けられたことを特徴とする請求項１に記載の画像読取装置。
【請求項４】
前記原稿押圧部材の前記ヒンジ部材に対しての回動可能範囲を規制する規制手段を備えたことを特徴とする請求項１乃至３のいずれか一つに記載の画像読取装置。
【請求項５】
前記規制手段は、前記原稿押圧部材に前記ヒンジ部材と前記原稿押圧部材の回動支点に対して原稿押圧側とは反対側に突き出した突き出し部を設け、該突き出し部が前記ヒンジ部材で規制される構成であることを特徴とする請求項４に記載の画像読取装置。
【請求項６】
前記ヒンジ部材と前記原稿押圧部材間の回動力を軸方向の付勢力に変換する変換機構を備えたことを特徴とする請求項１に記載の画像読取装置。
【請求項７】
前記変換機構は、前記ヒンジ部材と前記原稿押圧部材間が回動する場合に、前記ヒンジ
部材と前記原稿押圧部材の一部に形成した円弧状の断面形状が当接して押圧する力によって、軸方向の付勢力に変換することを特徴とする請求項６に記載の画像読取装置。
【発明の詳細な説明】
【０００１】
【発明の属する技術分野】
本発明は、写真や文書などの原稿を読み取って出力するものであって、厚手の原稿を読み取る場合あるいは縦置きした場合でも的確に原稿を固定して読み取ることができる画像読取装置に関するものである。
【０００２】
【従来の技術】
近年、スキャナ等の画像読取装置は、パソコンの普及と伴に広く使用されるようになっており、その画像読取装置の中でフラットベット型の画像読取装置は本等であっても読み取ることができる利点がある。
【０００３】
図１１は、従来のフラットベット型の画像読取装置の概略構成説明図である。
図１１の画像読取装置は、装置本体５０の上面の原稿台ガラス５１に原稿を下向きに載置し、装置本体５０内に設けられた画像読取手段であるコンタクトイメージセンサ５２を原稿面に沿ってスキャンすることによって原稿情報を光学的に読み取るものである。
【０００４】
この画像読取装置では、原稿が原稿台ガラス５１に密着固定されるように、装置本体５０に対して原稿押圧部材である原稿カバー５３を開閉可能に取り付けている。
【０００５】
原稿カバー５３は、装置後端に設けられたヒンジ部５４によって装置本体に対して回動可能に取り付けられており、内面側にスポンジ等の原稿圧着部材５５が取り付けられている。
【０００６】
そして、原稿台ガラス５１に原稿を載置した後で原稿カバー５３を閉じることにより、原稿を原稿台ガラス５１に押圧して固定するものである。
【０００７】
【発明が解決しようとする課題】
上記のような従来技術のフラットベット型の画像読取装置の場合には、原稿サイズと同等もしくはそれ以上の設置スペースが必要になり、大サイズの原稿を読み取り可能な装置にあっては大きな設置スペースが必要となってしまう。
【０００８】
しかし、画像を読み取るコンタクトイメージセンサは非常に小型かつ軽量であるため、装置本体５０の高さはあまり高くないことから、図１２に示すように、付属のスタンド５６を用いて装置本体５０の側面を下にして縦置きにし、この状態でも使用可能にしているものがある。
【０００９】
この縦置きにてスキャンできる原稿はシート状のものに限られるが、原稿カバー５３と装置本体５０の先端を吸盤などで閉じられるようにしておき、原稿を原稿台ガラス５１に押さえ付けてスキャンすることができる。
【００１０】
一方、従来技術の構成における原稿カバー５３は後端の１つの回動支点であるヒンジ部５４を中心とした回動により開閉するが、この方式においては本などの厚い原稿を押さえることができない。このため、一般的には、ヒンジ部５４の位置を上下方向にスライドすることによって厚い原稿に対応するようになっている。
【００１１】
しかしながら、そのような縦置き可能の画像読取装置においては、上記のようなヒンジ部５４の位置を上下方向にスライドするスライドヒンジ構成にすると、縦置き時にヒンジ部５４がスライドしてしまい、原稿カバー５３が原稿台ガラス５１に押圧できずに浮いて原稿を押さえられなくなるため、厚い原稿に対応することができなかった。
【００１２】
また、他の例としては原稿カバーと装置本体との間にヒンジ部材を設けて二段ヒンジとし、原稿カバーがヒンジ部材に対して開いた位置関係を復元しようとする機能を付加することにより、縦置き時に原稿カバーが開くことなく、原稿をしっかり押圧することができ、さらに通常の平置き時にも厚い原稿に対応できるようになっているものもある。
【００１３】
しかしながら、上記画像読取装置においては、原稿カバーとヒンジ部材の間の回動軸における軸方向のガタにより、原稿カバーを閉じたときの原稿台ガラスと原稿カバーの関係が一定でなくなり、特に縦置き時に、原稿が容易に動いてしまい、原稿を固定するという機能を十分に満たせなかった。
【００１４】
また、厚い原稿に対応した二段ヒンジタイプの原稿カバーを開いた状態から閉じようとした時、原稿カバーの重心位置が二つの回転中心位置よりも高い位置にあるため、画像読取装置とヒンジの回転中心が原稿カバーの回動中心とはならずに原稿カバーとヒンジの回転中心が原稿カバーの回動中心となる。特に図１３のように原稿カバーの重心位置と、原稿カバーとヒンジの回転中心位置の２点からなる直線上から画像読取装置とヒンジの回転中心位置がはずれてしまう場合、原稿カバーを開いた状態においてヒンジ支点には既に開こうとする回転モーメントＭが生じている。したがって、図１３のように原稿カバーの閉じる動作にヒンジが追従せずに、座屈した形となる。その結果、ユーザが開閉動作に不安感を抱くだけでなく、原稿カバーの先端が原稿と接触することにより、原稿を傷つける場合もある。
【００１５】
更に、縦置きにした場合においては、同様な理由により、原稿カバーの開閉動作が不安定となるだけでなく、ヒンジ部を座屈した状態で原稿カバーを閉じるため、原稿を押さえつけるだけの十分な押圧力がえられないため、原稿の浮きを生じさせ、読取画像の品位が損なわれる。
【００１６】
本発明は上記の従来技術の課題を解決するためになされたもので、その目的とするところは、厚手の原稿を読み取る場合あるいは縦置きした場合でも的確に原稿を固定し得る画像読取装置を提供することにある。
【００１７】
【課題を解決するための手段】
上記目的を達成するために本発明にあっては、
装置本体に対して開閉可能な原稿押圧部材と、該原稿押圧部材が押圧した原稿の画像を読み取る画像読取手段と、を備えた画像読取装置において、
一端が前記装置本体と回動可能に軸支されると共に他端が前記原稿押圧部材と回動可能に軸支され、装置本体と前記原稿押圧部材とを２つの回動支点で回動可能に連結するヒンジ部材と、
前記ヒンジ部材と前記原稿押圧部材とを軸支した軸方向に圧接して前記ヒンジ部材と前記原稿押圧部材間の前記軸方向の位置関係を一定にするとともに前記軸回りの回動を防止可能な圧接手段と、を備え、
前記圧接手段は、前記ヒンジ部材と前記原稿押圧部材のうち一方に設けられて圧接した他方を軸支した軸方向に付勢する付勢部と、他方に設けられて前記付勢部が突き当てられる突き当て部と、を備えた構成であることを特徴とする。
【００１９】
前記付勢部は、前記ヒンジ部材に一体的に設けられると共に、
前記突き当て部は、前記原稿押圧部材に設けられたことが好適である。
【００２０】
前記付勢部は、前記原稿押圧部材に一体的に設けられると共に、
前記突き当て部は、前記ヒンジ部材に設けられたことが好適である。
【００２１】
前記原稿押圧部材の前記ヒンジ部材に対しての回動可能範囲を規制する規制手段を備えたことが好適である。
【００２２】
前記規制手段は、前記原稿押圧部材に前記ヒンジ部材と前記原稿押圧部材の回動支点に対して原稿押圧側とは反対側に突き出した突き出し部を設け、該突き出し部が前記ヒンジ部材で規制される構成であることが好適である。
【００２７】
前記ヒンジ部材と前記原稿押圧部材間の回動力を軸方向の付勢力に変換する変換機構を備えたことが好適である。
【００２８】
前記変換機構は、前記ヒンジ部材と前記原稿押圧部材間が回動する場合に、前記ヒンジ部材と前記原稿押圧部材の一部に形成した円弧状の断面形状が当接して押圧する力によって、軸方向の付勢力に変換することが好適である。
【００２９】
上記構成にあっては、本等の厚手の原稿をセットする場合には、ヒンジ部材と装置本体との軸支部分及びヒンジ部材と原稿押圧部材との軸支部分の両方が回動し、原稿押圧部材が厚手の原稿を覆う。一方、薄手の原稿をセットする場合には、圧接手段や接続機構によって回動が防止されたヒンジ部材と原稿押圧部材は一体的となり、装置本体とヒンジ部材の軸支部分だけが回動し、原稿押圧部材が薄手の原稿を覆う。
【００３０】
また、縦置きした場合には、圧接手段や接続機構によって回動が防止されたヒンジ部材と原稿押圧部材は一体的となり、弾性部材等によって原稿押圧部材がヒンジ部材に対して回動し易くなることが防止され、原稿押圧部材の姿勢が維持され、原稿押圧部材が原稿を的確に押圧することができる。
【００３１】
さらに、圧接手段、弾性部材、変換機構によってヒンジ部材と原稿押圧部材とを軸支した軸方向に圧接するので、原稿押圧部材を閉じたときの装置本体と原稿押圧部材の関係が一定となり、がたつきを防止でき、特に縦置きした場合に、原稿が容易に動くことを防止し、原稿を固定する機能を十分に発揮することができる。
【００３２】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３３】
（第１の実施の形態）
図１〜図６を参照して、第１の実施の形態について説明する。
【００３４】
（全体構成）
まず、図１〜図３を用いて本実施の形態に係る画像読取装置の全体構成について説明する。図１は本実施の形態に係る画像読取装置の構成模式図であり、（ａ）は一部切断平面図、（ｂ）は一部切断正面図、（ｃ）は側面説明図である。図２はコンタクトイメージセンサを示す概略構成断面図である。
【００３５】
図１に示すように、装置本体１の上面に取り付けられた原稿台ガラス２上に原稿をセットし、装置本体１内の画像読取手段としてのコンタクトイメージセンサ３を原稿台ガラス２に平行に走査することにより、原稿の画像を読み取る。
【００３６】
なお、コンタクトイメージセンサ３は、図２に示すように、その内部には原稿照射用の光源である三色のＬＥＤ３Ｒ，３Ｇ，３Ｂ、原稿からの反射光をイメージセンサ３Ｓの受光素子上に結像するロッドレンズアレイ３Ｌ及びイメージセンサ３Ｓが組込まれている。コンタクトイメージセンサ３は、三色のＬＥＤ３Ｒ，３Ｇ，３Ｂを順次切り替えて点灯し、イメージセンサ３Ｓが各色ごとに原稿からの反射光を読み取ることにより、色分解読み取りをする。
【００３７】
コンタクトイメージセンサ３は、図１に示すように、装置本体１に固定されたガイドシャフト４上を摺動するスライダ５上に固定支持される。またスライダ５には、走査駆動源であるモータからの動力を伝達するベルトが固定される。モータの正逆回転により、コンタクトイメージセンサ３は原稿台ガラス２の範囲の往復走査が可能になっている。
【００３８】
画像読取装置の構成要素には、上記のほかにコントロールボードや電源からなる電装部がある。これらの構成要素は、原稿台ガラス２を固定支持する装置本体１の中に配置されている。
【００３９】
また、原稿台ガラス２上には、原稿を原稿台ガラス２上に押圧するための原稿押圧部材としての原稿カバー６が、ヒンジ部材７を介して装置本体１に開閉可能に取り付けられている。
【００４０】
この原稿カバー６内面の原稿台ガラス２との対向面には、シート材とスポンジからなる原稿圧着シート８が貼り付けられている。
【００４１】
次に、画像読取装置における読取画像のデータ処理を説明する。図３は画像読取装置による読取画像データ処理ブロック図である。
【００４２】
順次点滅するＬＥＤ３Ｒ，３Ｇ，３Ｂと同期してイメージセンサ３Ｓが読み取った画像出力信号は、アンプ９に送られて増幅された後、Ａ／Ｄコンバータ１０によりデジタル画像信号に変換される。
【００４３】
Ａ／Ｄコンバータ１０は、そのビット数分にイメージセンサ３Ｓのダイナミックレンジ（原稿上の真白部と真黒部の読取出力差）を分割して、原稿上の画像の明るさに応じて階調数を割り当てる。
【００４４】
たとえば分解能８ｂｉｔのＡ／Ｄコンバータ１０を使用している場合は白から黒に至る間を２５６の階調レベルに識別することができ、１０ｂｉｔのＡ／Ｄコンバータ１０の場合は１０２４の階調レベルに識別することができる。
【００４５】
したがって、８ｂｉｔのＡ／Ｄコンバータ１０を用いた画像読取装置では、ＲＧＢ三色の光源によるカラー読取では２４ｂｉｔ＝約１６７０万色、１０ｂｉｔの場合は３０ｂｉｔ＝約１０億７４００万色を識別できる。
【００４６】
画像読取装置の画像信号の出力形態は数種類あり、読み取った画像の用途によって、それに適した出力形態を選択することができる。文章を読み取ってその内容をＯＣＲにかける場合やモノクロの線画を読み取る場合には、モノクロ二値の画像が適しており、上述のＲＧＢの光源のうち、たとえばＧだけを点灯して得た画像信号を、ゲートアレイ１１に組み込まれた画像処理回路にて、あるしきい値にて二値化した画像データが使われる。
【００４７】
写真などの画像をモノクロプリンタに出力する目的で画像を読み取る場合には、同じくＧ光源による画像信号を使用してディザ法や誤差拡散法といった中間調処理を用いて二値化した画像データが用いられる。また、カラー画像の処理を行なう場合には、多値（２４ｂｉｔ、ｅｔｃ．）画像データが適している。
【００４８】
上記画像処理回路を経た画像信号は、インタフェース回路１２を介してパソコン１３などの機器に出力される。
【００４９】
（ヒンジ構成）
次に、装置本体１に対する原稿カバー６の開閉構成について説明する。図４は装置本体１と原稿カバー６とを開閉可能に連結するヒンジ構成の説明図である。
図５、図６は原稿カバー６を開閉した状態説明図である。
【００５０】
図４に示すように、原稿台ガラス２上には、原稿を原稿台ガラス２上に押圧するための原稿カバー６及びヒンジ部材７が、装置本体１の後端部に設けられた凹部１ａとヒンジ部材７の後端に設けられた凸部７ａとの嵌合部及びヒンジ部材７の前端に設けられた凸部７ｂと原稿カバー６の後端部の凹部６ａとの嵌合部の２点を回動支点として回動可能に軸支され、これによって装置本体１に対して原稿カバー６が開閉可能に取り付けられている。
【００５１】
また、図５、図６に示すように、原稿カバー６の後端部はヒンジ部材７との回動支点となっている凹部６ａと凸部７ｂの嵌合部よりも後方（嵌合部に対して原稿押圧側とは反対側）に張り出した規制手段としての張り出し部６ｂが設けられており、この張り出し部６ｂがヒンジ部材７に当接して規制されることにより、原稿カバー６はヒンジ部材７に対してヒンジ部材７の開き角よりも開くことができないようになっており、原稿カバー６のヒンジ部材７に対しての回動可能範囲が規制される。
【００５２】
さらに、ヒンジ部材７には、ヒンジ部材７に一体的に形成した弾性を有する付勢部７ｃが設けられており、その端部は原稿カバー６に形成された突き当て部６ｃに当接されている。この付勢部７ｃと突き当て部６ｃとが、本発明のヒンジ部材７と原稿カバー６とを圧接する圧接手段を構成している。
【００５３】
この付勢部７ｃは、原稿カバー６とヒンジ部材７の回動軸の軸方向の位置関係が一定になるように、すなわち、原稿カバー６を図５の矢印ａ方向に付勢してガタを寄せている。
【００５４】
これにより原稿カバー６とヒンジ部材７の間にある回動軸方向のガタが寄せられ、がたつきが防止される。特に縦置きした場合に、原稿が容易に動くことを防止し、原稿を固定する機能を十分に発揮することができる。
【００５５】
さらに、原稿カバー６の先端部には、不図示の吸盤が取り付けられている。そして、吸盤と対向する装置本体１上は、吸盤が密着しやすいよう平滑な面に仕上げられている。なお、原稿圧着シート８のスポンジは、原稿カバー６を閉じて吸盤が装置本体１に密着した状態で多少つぶれるような厚さを持っている。
【００５６】
上記構成にあっては、画像読取装置を通常の平置きで原稿カバー６を開くと、ヒンジ部材７の付勢部７ｃと原稿カバー６の突き当て部６ｃとの当接により原稿カバー６はヒンジ部材７に対して圧接して固定されているため、原稿カバー６がヒンジ部材７に対して凹部６ａと凸部７ｂの嵌合部の回動支点で回動することなく、原稿カバー６とヒンジ部材７とが一体的に凹部１ａと凸部７ａの嵌合部の回動支点だけで回動する。
【００５７】
次に、本などの厚手の原稿をセットして原稿カバー６を閉じると、図６に示すように、ヒンジ部材７に一体的に形成した付勢部７ｃが原稿カバー６に形成した突き当て部６ｃから離れ、ヒンジ部材７と原稿カバー６との圧接が解除されるので、原稿カバー６はヒンジ部材７との間の凹部６ａと凸部７ｂの嵌合部の回動支点を中心として折れ曲がり、原稿カバー６の原稿圧着シート８が原稿を押圧する姿勢となる。
【００５８】
一方、薄手の原稿をセットして原稿カバー６を閉じると、原稿カバー６とヒンジ部材７は付勢部７ｃと突き当て部６ｃが再び当接し、ヒンジ部材７と原稿カバー６とが圧接し両者は一体的に凹部１ａと凸部７ａの嵌合部の回動支点だけで回動する。このため、薄手の原稿の場合も原稿圧着シート８が原稿に密着し、原稿は原稿台ガラス２に的確に固定される。
【００５９】
また、画像読取装置を縦置きする場合は、原稿を原稿台ガラス２上に載置し、原稿カバー６を閉じて吸盤を上から押すと吸盤が装置本体１に密着する。このとき原稿圧着シート８のスポンジがつぶれるため、その反力がシート材を介して原稿にかかり、原稿にシワやカールがあっても伸ばされ、原稿は原稿台ガラス２に密着する。
【００６０】
このとき、装置を縦置きにするため、付勢部７ｃと突き当て部６ｃがなければ原稿カバー６はヒンジ部材７に対して閉じる方向に回動し易くなるが、本実施の形態ではヒンジ部材７に一体的に形成した付勢部７ｃと原稿カバー６に形成した突き当て部６ｃが当接し、原稿カバー６はヒンジ部材７に対して圧接して固定されているため、原稿カバー６は開いた姿勢を維持できる。このため、原稿カバー６が原稿を的確に押圧することができ、鮮明な画像を読み取ることができる。
【００６１】
また、付勢部７ｃの付勢力が回動軸の軸方向に働くことにより、原稿カバー６とヒンジ部材７のガタがなくなるため、原稿カバー６を閉じたときの装置本体１と原稿カバー６の関係が一定となり、がたつきを防止でき、特に縦置きした場合に、原稿が容易に動くことを防止し、原稿を固定する機能を十分に発揮することができる。
【００６２】
（第２の実施の形態）
図７、図８には、第２の実施の形態が示されている。上記第１の実施の形態では、付勢部７ｃがヒンジ部材７に一体的に形成され、突き当て部６ｃが原稿カバー６に形成されていたが、本実施の形態では、付勢部６ｄが原稿カバー６に一体的に形成され、突き当て部７ｄがヒンジ部材７に形成されている。
【００６３】
その他の構成および作用については第１の実施の形態と同一なので、同一の構成部分については同一の符号を付して、その説明は省略する。
【００６４】
図７、図８は原稿カバー６を開閉した状態説明図である。原稿カバー６には、原稿カバー６に一体的に形成した弾性を有する付勢部６ｄが設けられており、その端部はヒンジ部材７に形成された突き当て部７ｄに当接されている。この付勢部６ｄと突き当て部７ｄとが、本発明のヒンジ部材７と原稿カバー６とを圧接する圧接手段を構成している。
【００６５】
この付勢部６ｄは、原稿カバー６とヒンジ部材７の回動軸の軸方向の位置関係が一定になるように、すなわち、ヒンジ部材７を図７の矢印ａ方向に付勢して原稿カバー６を矢印ａと反対方向に移動させてガタを寄せている。
【００６６】
これにより原稿カバー６とヒンジ部材７の間にある回動軸方向のガタが寄せられ、がたつきが防止される。特に縦置きした場合に、原稿が容易に動くことを防止し、原稿を固定する機能を十分に発揮することができる。
【００６７】
上記構成にあっては、画像読取装置を通常の平置きで原稿カバー６を開くと、原稿カバー６の付勢部６ｄとヒンジ部材７の突き当て部７ｄとの当接により原稿カバー６はヒンジ部材７に対して圧接して固定されているため、原稿カバー６がヒンジ部材７に対して凹部６ａと凸部７ｂの嵌合部の回動支点で回動することなく、原稿カバー６とヒンジ部材７とが一体的に凹部１ａと凸部７ａの嵌合部の回動支点だけで回動する。
【００６８】
次に、本などの厚手の原稿をセットして原稿カバー６を閉じると、図８に示すように、原稿カバー６に一体的に形成した付勢部６ｄがヒンジ部材７に形成した突き当て部７ｄから離れ、ヒンジ部材７と原稿カバー６との圧接が解除されるので、原稿カバー６はヒンジ部材７との間の凹部６ａと凸部７ｂの嵌合部の回動支点を中心として折れ曲がり、原稿カバー６の原稿圧着シート８が原稿を押圧する姿勢となる。
【００６９】
一方、薄手の原稿をセットして原稿カバー６を閉じると、原稿カバー６とヒンジ部材７は付勢部６ｄと突き当て部７ｄが再び当接し、ヒンジ部材７と原稿カバー６とが圧接し両者は一体的に凹部１ａと凸部７ａの嵌合部の回動支点だけで回動する。このため、薄手の原稿の場合も原稿圧着シート８が原稿に密着し、原稿は原稿台ガラス２に的確に固定される。
【００７０】
また、画像読取装置を縦置きする場合は、原稿を原稿台ガラス２上に載置し、原稿カバー６を閉じて吸盤を上から押すと吸盤が装置本体１に密着する。このとき原稿圧着シート８のスポンジがつぶれるため、その反力がシート材を介して原稿にかかり、原稿にシワやカールがあっても伸ばされ、原稿は原稿台ガラス２に密着する。
【００７１】
このとき、装置を縦置きにするため、付勢部６ｄと突き当て部７ｄがなければ原稿カバー６はヒンジ部材７に対して閉じる方向に回動し易くなるが、本実施の形態では原稿カバー６に一体的に形成した付勢部６ｄとヒンジ部材７に形成した突き当て部７ｄが当接し、原稿カバー６はヒンジ部材７に対して圧接して固定されているため、原稿カバー６は開いた姿勢を維持できる。このため、原稿カバー６が原稿を的確に押圧することができ、鮮明な画像を読み取ることができる。
【００７２】
また、付勢部６ｄの付勢力が回動軸の軸方向に働くことにより、原稿カバー６とヒンジ部材７のガタがなくなるため、原稿カバー６を閉じたときの装置本体１と原稿カバー６の関係が一定となり、がたつきを防止でき、特に縦置きした場合に、原稿が容易に動くことを防止し、原稿を固定する機能を十分に発揮することができる。
【００７３】
（第３の実施の形態）
図９、図１０には、第３の実施の形態が示されている。本実施の形態では、凸部６ｅと孔部の淵７ｅとで接続機構を形成し、ネジリコイルバネ１４を備えた構成である。
【００７４】
その他の構成および作用については第１の実施の形態と同一なので、同一の構成部分については同一の符号を付して、その説明は省略する。
【００７５】
図９に示す本実施の形態の原稿カバー６は、実質上、原稿を原稿台ガラス２上に押圧するためのシート材とスポンジからなる原稿圧着シート８が張付いている。そして、原稿カバー６にＡ１，Ａ２を回動支点として回動可能に取り付けられたヒンジ部材７と、原稿カバー６とヒンジ部材７のスラスト方向（軸方向）のガタ取り及びＡ１，Ａ２を回動支点として原稿カバー６をヒンジ部材７に対して開く方向（一体とする方向）に付勢するという２つの機能を有するネジリコイルバネ１４と、を備えた構成である。
【００７６】
さらに、原稿カバー６とヒンジ部材７には、原稿カバー６の開閉時に一体となって動作する解除可能な引掛け部である接続機構として凸部６ｅ及び孔部の淵７ｅをそれぞれ設けている。
【００７７】
この原稿カバー６は、ヒンジ部材７を介して、Ｂ１，Ｂ２を回動支点として画像読取装置に回動可能に取り付けられている。
【００７８】
次に図１０を用いて本実施の形態について詳しく説明する。
【００７９】
原稿カバー６には、図１０（ｃ）に示す凸部６ｅが形成されていて、ヒンジ部材７には、この凸部１１に係合する孔部の淵７ｅが形成されている。孔部の淵７ｅの部分と凸部６ｅの先端が引っ掛かる様に、凸部６ｅの先端は、孔部の淵７ｅの方に向けて小さな突起を持つ。
さらに、孔部の淵７ｅと、凸部６ｅの先端の小さな突起の先端は、以後厚い原稿の場合に説明するように、Ｒ形状（円弧状の断面形状）をしている。
【００８０】
平置きでシート状の原稿を原稿台ガラス２上にセットし、原稿カバー６を閉じる際、原稿カバー６とヒンジ部材７が持っている凸部６ｅ及び孔部の淵７ｅが互いに引っ掛っているので原稿カバー６とヒンジ部材７は座屈することなく一体となって動作する。
【００８１】
したがって、ユーザの不安感や原稿を傷つけることはない。また、ネジリコイルバネ１４の機能により、原稿カバー６はヒンジ部材７と原稿カバー６間のガタツキ無しに確実に原稿の所定の位置を安定して押さえることができるため、外光の影響なく原稿の画像情報を読取ることができる。
【００８２】
次に、本などの厚い原稿をセットして原稿カバー６を閉じると、図１０（ｃ）のように原稿カバー６はヒンジ部材７との間の回動支点を中心として下方に折れ曲がり、原稿を覆った姿勢となる。
【００８３】
この時の原稿カバー６とヒンジ部材７の凸部６ｅ及び孔部の淵７ｅの動作を図１０の左側に示す。この図は図９のＣ−Ｃ断面を表す。図１０（ｂ）のように厚い原稿に原稿圧着シート８が当接し、更にそこから原稿カバー６を原稿に押し付けようとすると、その押し付け力を各凸部６ｅ及び孔部の淵７ｅの先端のＲ形状がヒンジ部材７をスラスト方向（軸方向）に動かす力に変え、ヒンジ部材７が原稿カバー６に対して相対的に移動し、凸部６ｅと孔部の淵７ｅの引掛けが解除される。すなわち、凸部６ｅ及び孔部の淵７ｅの先端のＲ形状がヒンジ部材７と原稿カバー６間の回動力をスラスト方向の付勢力に変換する変換機構となっている。
【００８４】
逆に、この状態から原稿カバー６を開ける場合も同様に、今度は原稿カバー６の自重の力をスラスト力に変え、凸部６ｅと孔部の淵７ｅの引掛けが解除され、もとの原稿カバー６とヒンジ部材７が一体化した一体の形態へ戻る。
【００８５】
したがって、二段ヒンジとスムースな開閉動作の両立が可能となり、原稿を傷つけることもない。
【００８６】
縦置き読み取りの場合も同様に、ネジリコイルバネ１４の機能により、原稿カバー６が原稿の所定の位置を押さえ、ヒンジ部７と原稿カバー６の凸部６ｅと孔部の淵７ｅによる引掛けにより座屈することなくスムースに開閉動作を行うことができる。
【００８７】
一方、装置を縦置きにした場合、原稿台ガラス２方向への原稿カバー６の自重がかからなくなるため、回動支点Ａ１，Ａ２が原稿台ガラス２から浮く方向、すなわち、原稿カバー６がヒンジ部材７が開いたまま閉じる方向に回転し易くなるが、ネジリコイルバネ１４の原稿カバー６をヒンジ部材７と一体とする方向への付勢力の作用により、原稿カバー６とヒンジ部材７は一体して開いた姿勢を維持する。
【００８８】
したがって、回動支点Ａ１，Ａ２が原稿台ガラス２から浮くことはなくなり、しっかり原稿を押さえることができる。このため、鮮明な画像を読み取ることができる。
【００８９】
【発明の効果】
以上説明したように、本発明は、簡単な構成で厚手の原稿を読み取る場合あるいは縦置きした場合でも的確に原稿を固定して鮮明に画像読み取りを行うことができる。また、圧接手段や接続機構によって原稿押圧部材とヒンジ部材間のがたつきを防止でき、原稿が容易に動くことを防止し、原稿を固定する機能を十分に発揮することができる。
【００９０】
よって、高品位な画像を得ることができるコンパクトで小型の画像読取装置を提供することができる。
【図面の簡単な説明】
【図１】第１の実施の形態に係る画像読取装置を示す構成模式図である。
【図２】第１の実施の形態に係るコンタクトセンサを示す概略構成断面図である。
【図３】第１の実施の形態に係る画像読取装置の読取画像データ処理ブロック図である。
【図４】第１の実施の形態に係る装置本体と原稿カバーとを開閉可能に連結するヒンジ構成を示す構成模式図である。
【図５】第１の実施の形態に係る原稿カバーを開閉した状態を説明する斜視図である。
【図６】第１の実施の形態に係る原稿カバーを開閉した状態を説明する斜視図である。
【図７】第２の実施の形態に係る原稿カバーを開閉した状態を説明する斜視図である。
【図８】第２の実施の形態に係る原稿カバーを開閉した状態を説明する斜視図である。
【図９】第３の実施の形態に係る原稿カバーとヒンジ構成とを示す構成模式図である。
【図１０】第３の実施の形態に係る装置本体と原稿カバーとを開閉可能に連結するヒンジ構成を示す構成模式図である。
【図１１】従来の画像読取装置を示す概略構成断面図である。
【図１２】従来の画像読取装置を縦置きした状態を説明する模式図である。
【図１３】従来の画像読取装置で座屈の生じた状態を示す図である。
【符号の説明】
１  装置本体
１ａ  凹部
２  原稿台ガラス
３  コンタクトイメージセンサ
４  ガイドシャフト
５  スライダ
６  原稿カバー
６ａ  凹部
６ｂ  突き出し部
６ｃ  突き当て部
６ｄ  付勢部
６ｅ  凸部
７  ヒンジ部材
７ａ  凸部
７ｂ  凸部
７ｃ  付勢部
７ｄ  突き当て部
７ｅ  孔部の淵
８  原稿圧着シート
９  アンプ
１０  Ａ／Ｄコンバータ
１１  ゲートアレイ
１２  インタフェース回路
１３  パソコン
１４  ネジリコイルバネ
【図１】
0004603732.tif 000002
【図２】
0004603732.tif 000003
【図３】
0004603732.tif 000004
【図４】
0004603732.tif 000005
【図５】
0004603732.tif 000006
【図６】
0004603732.tif 000007
【図７】
0004603732.tif 000008
【図８】
0004603732.tif 000009
【図９】
0004603732.tif 000010
【図１０】
0004603732.tif 000011
【図１１】
0004603732.tif 000012
【図１２】
0004603732.tif 000013
【図１３】
0004603732.tif 000014